(57)【要約】【課題】標的として設けた目印が小便によって剥がれることがなく、さらに目印を設けたことに起因して汚れが蓄積しない便器を提供することである。【解決手段】便器１の小便受け部３の所定位置に、ＬＥＤランプ４が発する光線７を、透光部５を介して照射させる。透光部５は、便器１の上部に形成された突出部２の裏面側に設けられる。これによって、小便受け部３の当該部位に標的部６を投影する。標的部６は、小便受け部３上に光線７によって形成された目印である。標的部６は、ＬＥＤランプ４を点滅させることによって小便受け部３内における位置を強調したり、透光部５に任意のデザインを施すことによって、アニメキャラクタ等を投影することも可能である。【選択図】図１
2013002203.tif 000002
【特許請求の範囲】
【請求項１】
便器内部の小便受け部の所定位置に標的を設けた便器であって、光源を設け、当該光源から発する光線が、小便受け部の前記所定位置に照射されることを特徴とする便器。
【発明の詳細な説明】
【技術分野】
【０００１】
本発明は、男性が起立姿勢で小便をする際における、標的として目印を付した便器に関するものである。
【背景技術】
【０００２】
男性が起立姿勢で便器に向かって無造作に小便をすると、便器の周囲に小便が飛散し易く、便器周囲を汚してしまう。そこで特許文献１に開示されている汚染回避トイレが提案されている。
【０００３】
特許文献１に開示されている汚染回避トイレでは、便器内の所定位置に目印材を貼付や接着等の手段によって配置するように構成されている。便器内に目印材があると、人の心理として、小便が目印材に掛かるようにその目印材を狙うとされている。
【０００４】
便器に目印材を設けると、目印材を設けない便器よりも便器周囲の小便による汚染が少ないことを、本発明者らは独自の調査によって確認した。すなわち、特許文献１に開示されている汚染回避トイレは、便器周囲の汚染の軽減に効果を有していると考えられる。
【先行技術文献】
【特許文献】
【０００５】
【特許文献１】特開２００３−３０１５０５号公報
【発明の概要】
【発明が解決しようとする課題】
【０００６】
ところで、特許文献１に開示されている汚染回避トイレでは、目印材を貼付や接着等によって便器表面に取り付けている。そのため、当該トイレの使用が重なるにつれ、目印材が剥がれたり、目印材自体に汚れが蓄積されてしまう。すなわち目印材が剥がれると、再度目印材を取り付けなければならず、また、目印材が汚れると、便器自体が不衛生な状態となる。
【０００７】
そこで本発明は、目印が小便によって剥がれることがなく、さらに目印を設けたことに起因して汚れが蓄積することがない便器を提供することを目的とする。
【課題を解決するための手段】
【０００８】
上記課題を解決するための請求項１に記載の発明は、便器内部の小便受け部の所定位置に標的を設けた便器であって、光源を設け、当該光源から発する光線が、小便受け部の前記所定位置に照射されることを特徴とする便器である。
【０００９】
請求項１の発明では、光源から発する光線が、小便受け部の所定位置に照射され、光線によって便器の小便受け部に標的が配置される。すなわち、光線が便器の小便受け部の表面に照射される位置、又は小便受け部の表面から光線が散乱する位置に標的が配置される。よって、小便受け部の所定位置に標的部材を貼付又は接着しないので、従来の標的のように小便が掛かって剥がれたり、汚れが蓄積することがない。その結果、剥がれた標的を貼り直す手間や、蓄積した汚れを落とす作業が不要になり、メンテナンスの労力が軽減される。
【００１０】
また、便器の小便受け部に光が照射される、又は小便受け部に光が散乱するので、夜間において煌煌と明るい照明を点灯しなくても用を足すことができる。すなわち尿意を覚えて目覚め、トイレで明るい照明によって眩しい思いをせずに済み、完全に覚醒することなく用を足すことができる。
【００１１】
小便受け部は、光を透過する樹脂等の素材で構成したり、光を反射することができる素材で構成するのが好ましい。すなわち光源を小便受けの裏側に配置して光を透過させて標的を構成する場合には、光を透過する樹脂等の素材で小便受け部（透過部）を構成する。又、光源を小便受け部の表側に配置して光を小便受け部に照射して反射又は散乱させて標的を構成する場合には、光を反射することができる素材で小便受け部を構成する。
【発明の効果】
【００１２】
本発明の便器によれば、光源から発する光で小便受け部の所定位置に標的を設けるので、従来のように標的部材を貼付又は接着する必要がない。よって、従来の標的のように標的部材に小便が掛かって剥がれたり、汚れが蓄積することがない。その結果、剥がれた標的を貼り直す手間や、蓄積した汚れを落とす作業が不要になり、メンテナンスの労力が軽減される。
【図面の簡単な説明】
【００１３】
【図１】（ａ）は本発明を実施した座椅子タイプの便器の斜視図であり、（ｂ）は（ａ）の便器の部分断面図である。
【図２】（ａ）は本発明を実施した男性の小便用の便器の斜視図であり、（ｂ）は（ａ）の便器の部分断面図である。
【発明を実施するための形態】
【００１４】
以下では、本発明の便器の実施形態について、図面を参照しながら詳細に説明する。なお、以下の説明は、実施形態の理解を容易にするためのものであり、これによって、本発明が制限して理解されるべきではない。
【００１５】
まず、図１を参照しながら本発明の実施形態に係る便器の構成について説明する。
【００１６】
図１（ａ）に示す便器１は、椀状部３（小便受け部）と、椀状部３と連通する配管（図示せず）が設けられている。また、椀状部３の上端付近には、多数のノズル（図示せず）が設けられている。すなわち、便器１内の大小便は、図示しないノズルから供給される水によって、椀状部３から図示しない配管を介して外部へ排出される。
【００１７】
また、便器１は椀状部３の上方であって後方側には前方へフランジ状に突出する突出部２が設けられている。突出部２は内部に中空部２ａを有している。突出部２は、全体が樹脂材やプラスチック材等の強度を有する素材で形成されている。また、突出部２の外部（外面）には、ＵＶ硬化性のアクリルなどのコーティング処理を行ってもよい。
【００１８】
突出部２の中空部２ａには、図１（ｂ）に示す長寿命のＬＥＤランプ４（光源）が配置されている。ＬＥＤランプ４としては、周囲の明るさや時間帯等によって、明るさが自動で調整されるものを使用するのが好ましい。突出部２を樹脂材で構成すると、後述する光線７を透過させるような色味調整が容易になる。
【００１９】
中空部２ａの下側を仕切る下部壁８には、透光部５が設けられている。透光部５は、ＬＥＤランプ４の光を通す透光性の素材で形成されている。透光部５は、透光部５を通過した光線７が目に優しい光となるように、ＬＥＤランプ４の光を通す素材で構成するのが好ましい。
【００２０】
透光部５を通過した光線７は、椀状部３の標的部６に照射される。すなわち標的部６は、椀状部３上の特定の範囲（例えば直径１〜２ｃｍ程度）に形成される光線７が照射される部位である。
【００２１】
椀状部３に光線７を照射して標的部６を表示すると、標的部６は目印として機能する。すなわち、光線７によって椀状部３の全領域に対して、標的部６のみが目立つ。ＬＥＤランプ４が点灯すると、椀状部３には標的部６が表示される。ＬＥＤランプ４は、電池式のものを採用すると、便器１の周囲に配線を施す手間が省け、さらに便器１の周囲を簡素化することができて好ましい。また、ＬＥＤランプ４は、透光部５を効率よく通過するように、指向性を有する光線７を発するものであるのが好ましい。さらに、光線７の色は任意に選定可能であり、また、点滅させることによって色盲，色弱，弱視などの目の不自由な人にも、標的部６の位置を見え易くすることができる。便器１全体を薄暗く光らせ、標的部６のみを明るく表示することも可能である。さらに、透光部５を工夫してアニメのキャラクタ等を描き、ランプ４を点灯すると、キャラクタが標的部６に投影されるようにすることも可能である。このようにすると、子供に愛着を持たせることができる。
【００２２】
夜間には、照明を点灯させなくても便器１の位置が把握できる程度にランプ４の光量を調整すると、ランプ４を点灯させておくことによって、照明を点灯させなくても用を足すことができる。より詳しくは、夜間に尿意を覚えて目覚め、暗がりに目が慣れた状態でトイレへ行き、いきなり照明を点灯させると眩しい思いをする上に、完全に覚醒してしまうが、本発明を実施した便器では、照明を点灯させることなく用を足すことができるので、このような事態を回避することができる。
【００２３】
図１（ａ）に示す例では、ＬＥＤランプ４から照射される光線７が、椀状部３の特定の箇所（標的部６）に照射されるように便器１を構成したが、代わりに、椀状部３の標的部６を表示する部位に透光部を配置し、椀状部３の裏面側（内側）にＬＥＤランプを設置してもよい。その際には、透光部は耐水性を有する素材で椀状部３に一体的に設ける。
【００２４】
次に、図２を参照しながら本発明の別の便器について説明する。図２（ａ）に示す便器１１は、男性の小便専用の便器である。便器１１は、排出部１２と小便受け部１３とを有している。排出部１２は、便器１１の下部に設けられており、図示しない配管が接続されている。
【００２５】
便器１１の内部には中空部１７が形成されている。そして図２（ｂ）に示すように、中空部１７を仕切る前側の壁が小便受け部１３を構成する。小便受け部１３は上方から下方へ延びる壁である。小便受け部１３の上部には、図示しないノズルが設けられている。小便受け部１３に向かって小便が放尿されると、図示しないノズルから水が供給され、小便受け部１３に付着した小便が排出部１２を介して図示しない配管から外部へ排出される。
【００２６】
便器１１の中空部１７にはＬＥＤランプ１４が配置されている。また、ＬＥＤランプ１４の近傍の小便受け１３には、透光部１５が設けられている。透光部１５は、ＬＥＤランプ１４から発せられる光を通すことができ、さらに耐水性を有する素材で構成されている。
【００２７】
ＬＥＤランプ１４が点灯すると、光が透光部１５を透過し、小便受け部１３の表面から放たれる。すなわち、ＬＥＤランプ１４から発せられる光が透光部１５を介して照射され、標的部１６が構成される。よって、ＬＥＤランプ１４の光が、標的部１６から周囲へ放たれる。標的部１６の機能及び作用効果は、図１の標的部６と同様である。
【００２８】
図２（ａ）に示す例では、小便受け部１３自体に透光部１５を設けたが、小便受け部１３に透光部１５を設ける代わりに、便器１１の別の部位にＬＥＤランプを設置し、ＬＥＤランプから照射される光線が、小便受け部１３の特定の箇所（標的部１６）に照射されるようにしてもよい。
【００２９】
本発明を実施した便器では、標的部６，１６が、ＬＥＤランプ４，１４によって照射される光によって表示されるものであるので、椀状部３（小便受け部１３）の表面に凹凸を形成せず、椀状部３（小便受け部１３）に汚れが蓄積することがなく、衛生的である。また、標的部６，１６は、小便又は流水によって欠落することがなく、従来のように目印材を再度小便受け部に貼付する等のメンテナンスが不要である。
【符号の説明】
【００３０】
１    便器
２    突出部（ＬＥＤランプを設置する部位）
３    椀状部（小便受け部）
４    ＬＥＤランプ（光源）
５    透光部
６    標的部
１１  便器
１３  小便受け部
１４  ＬＥＤランプ
１５  透光部
１６  標的部
【図１】
2013002203.tif 000003
【図２】
2013002203.tif 000004